【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
ベースパネル部材と、前記ベースパネル部材に接続されて、前記ベースパネル部材からほぼ垂直に延びるラッチアセンブリとを備え、
前記ラッチアセンブリは、つまみ部と、互いに離れて配置され、互いに平行に延びる一対の硬いレールとを有し、前記つまみ部は、前記一対のレールの間に、前記一対のレールから離れて配置されて、前記つまみ部と前記一対のレールのそれぞれとの間に一対の開放端停止受け溝を区画しており、
前記各一対のレールは、前記ベースパネル部材に接続され、前記ベースパネル部材から離れて前記つまみ部に向かって内方に延びる基部レール片と、前記ベースパネル部材および前記基部レール片に一体に形成され、前記ベースパネル部材から離れて、前記基部レール片から上方に延びる側部レール片と、
前記一対のレールの１つが断面Ｌ型であり、前記ベースパネル部材から全長にわたってＬ型を保ってＬ型で開放終端し、前記一対のレールの他の１つが断面逆Ｌ型であり、前記ベースパネル部材から全長にわたって逆Ｌ型を保って逆Ｌ型で開放終端している、コネクタ位置保証装置。
【請求項２】
前記ラッチアセンブリは、前記ベースパネル部材と前記つまみ部との間で前記ベースパネル部材および前記つまみ部に接続されているアンカーパネル部を含み、
前記つまみ部は、つまみ固定端および対向するつまみ自由端を有し、
前記つまみ部は、前記上方向に向かって、弛緩通常位置および上側偏移位置、ならびに、前記弛緩通常位置と前記上側偏移位置との間で移動可能なように、かつ、下方向に向かって、前記弛緩通常位置および前記上側偏移位置の反対側の下側偏移位置、ならびに、前記弛緩通常位置と前記下側偏移位置との間で移動可能なように、前記つまみ固定端において、前記アンカーパネル部に接続され、
前記つまみ部は、前記弛緩通常位置へと弾性的に付勢されている、請求項1に記載のコネクタ位置保証装置。
【請求項３】
前記ラッチアセンブリは、前記つまみ部に接続されてその前記つまみ自由端に隣接し前記つまみ部から上方向に向かって突出する従動突起を含み、前記従動突起は、前記一対のレールの間の中央に位置している、請求項2に記載のコネクタ位置保証装置。
【請求項４】
前記つまみ部は、互いの間に長孔が設けられ前記つまみ部を貫通する一対のつまみ部脚を有しており、前記長孔は、前記つまみ部の中央に配置されて、前記つまみ固定端から前記従動突起に向かって延びている、請求項3に記載のコネクタ位置保証装置。
【請求項５】
ベースパネル部材と、前記ベースパネル部材に接続されて、前記ベースパネル部材からほぼ垂直に延びるラッチアセンブリと、内部に箱型空洞を有する空箱要素とを備え、
前記ラッチアセンブリは、つまみ部と、互いに離れて配置され、互いに平行に延びる一対のレールとを有し、前記つまみ部は、前記一対のレールの間に、前記一対のレールから離れて配置されて、前記つまみ部と前記一対のレールのそれぞれとの間に一対の開放端停止受け溝を区画し、
前記ラッチアセンブリは、前記ベースパネル部材と前記つまみ部との間で前記ベースパネル部材および前記つまみ部に接続されているアンカーパネル部を含み、前記つまみ部は、つまみ固定端および対向するつまみ自由端を有し、前記つまみ部は、前記上方向に向かって、弛緩通常位置および上側偏移位置、ならびに、前記弛緩通常位置と前記上側偏移位置との間で移動可能なように、かつ、下方向に向かって、前記弛緩通常位置および前記上側偏移位置の反対側の下側偏移位置、ならびに、前記弛緩通常位置と前記下側偏移位置との間で移動可能なように、前記つまみ固定端において、前記アンカーパネル部に接続され、
前記つまみ部は、前記弛緩通常位置へと弾性的に付勢され、
前記ラッチアセンブリは、前記つまみ部に接続されてその前記つまみ自由端に隣接し前記つまみ部から上方向に向かって突出する従動突起を含み、前記従動突起は、前記一対のレールの間の中央に位置し、
前記つまみ部は、互いの間に長孔が設けられ前記つまみ部を貫通する一対のつまみ部脚を有しており、前記長孔は、前記つまみ部の中央に配置されて、前記つまみ固定端から前記従動突起に向かって延び、
前記空箱要素は、その中の箱型空洞と前記従動突起に対向する箱型開口を備え、前記空箱要素は、前記アンカーパネル部および前記ベースパネル部材に一体的に接続されており、前記空箱要素は、前記ベースパネル部材から延びて、前記長孔の後端部が前記箱型空洞に連通した状態で、前記長孔の前記後端部を覆うように終わっている、コネクタ位置保証装置。
【請求項６】
前記従動突起は、後面、前面、頂面および傾斜面を有しており、前記後面は前記箱型開口に対向しており、前記前面は前記後面に対向し、前記箱型開口の反対側を向いており、前記傾斜面は、前記頂面および前記前面に対して傾斜しながら、前記頂面および前記前面を相互に接続しており、前記頂面は、前記傾斜面および前記後面を相互に接続している、請求項5に記載のコネクタ位置保証装置。
【請求項７】
前記アンカーパネル部は、前記ベースパネル部材と一体的に垂直に接続され、第1の平面に配置されており、前記つまみ部の少なくとも前側部分は、前記第1の平面と間隔を置いて平行に延びる第2の平面に配置されている、請求項2に記載のコネクタ位置保証装置。
【請求項８】
前記ラッチアセンブリは、前記つまみ部の前記つまみ自由端において一体的に接続された一対のブロック要素を含み、前記一対のブロック要素は、それぞれ、前記従動突起の両側において、互いに横方向に離れて配置され、前記つまみ自由端の前方に突出している、請求項2に記載のコネクタ位置保証装置。
【請求項９】
ベースパネル部材と、前記ベースパネル部材に接続されて、前記ベースパネル部材からほぼ垂直に延びるラッチアセンブリとを備え、
前記ラッチアセンブリは、つまみ部と、互いに離れて配置され、互いに平行に延びる一対の硬いレールとを有し、前記つまみ部は、前記一対のレールの間に、前記一対のレールから離れて配置されて、前記つまみ部と前記一対のレールのそれぞれとの間に一対の開放端停止受け溝を区画し、前記一対のレールの１つが正面Ｌ型であり、一対のレールの他の１つが正面逆Ｌ型であり、
前記ラッチアセンブリは、前記ベースパネル部材と前記つまみ部との間で前記ベースパネル部材および前記つまみ部に接続されているアンカーパネル部を含み、前記つまみ部は、つまみ固定端および対向するつまみ自由端を有し、前記つまみ部は、前記上方向に向かって、弛緩通常位置および上側偏移位置、ならびに、前記弛緩通常位置と前記上側偏移位置との間で移動可能なように、かつ、下方向に向かって、前記弛緩通常位置および前記上側偏移位置の反対側の下側偏移位置、ならびに、前記弛緩通常位置と前記下側偏移位置との間で移動可能なように、前記つまみ固定端において、前記アンカーパネル部に接続され、
前記つまみ部は、前記弛緩通常位置へと弾性的に付勢され、
前記つまみ部は、一対の傾斜部を含み、各傾斜部は、前記つまみ部の外部側縁に配置されており、前記つまみ固定端に対して上方に、前記つまみ自由端に向かって傾斜している、コネクタ位置保証装置。
【請求項１０】
第1コネクタ開放端、第1コネクタ内腔、および、第1コネクタ上壁から前記第1コネクタ内腔へと延びる第1コネクタ係止突起を有する第1コネクタハウジングと、
前記第1コネクタ開放端を通って前記第1コネクタ内腔に受けられる寸法とされており、第2コネクタ開放端と、第2コネクタ内腔と、クロスバー係止要素および前記クロスバー係止要素により一部を区画された第2コネクタラッチ孔を有する第2コネクタラッチアセンブリと、前記第2コネクタラッチアセンブリに対向する第2コネクタ底壁と、一対の対向する第2コネクタ側壁と、前記第2コネクタラッチアセンブリと前記第2コネクタ底壁との間に配置された少なくとも1つの停止要素と、前記第2コネクタ底壁から上方に突出する第2コネクタ上方突出係止突起とを有する第2コネクタハウジングであって、前記第2コネクタ内腔の中に配置されているジョイスト構造部を含み、前記ジョイスト構造部は、互いに離れた一対のジョイストを有し、挿入方向に向かって延びており、前記一対のジョイストは、それぞれ、前記第2コネクタ側壁それぞれおよび前記第2コネクタ底壁から離れて配置されて、互いの間にレール受け溝を形成し、前記第2コネクタラッチアセンブリは、通常弛緩状態および下側偏移状態、ならびに、前記通常弛緩状態と前記下側偏移状態との間で移動できるようにされており、前記第2コネクタラッチアセンブリは、前記通常弛緩状態へ弾性的に付勢されている第2コネクタハウジングと、
前記第2コネクタ内腔によって受けられる寸法とされており、ベースパネル部材と、前記ベースパネル部材に接続されて、前記ベースパネル部材からほぼ垂直に延びるラッチアセンブリとを備えるコネクタ位置保証装置であって、
前記ラッチアセンブリは、つまみ部前側部分と、互いに離れて配置され、互いに平行に延びる一対のレールとを有し、前記つまみ部は、前記一対のレールの間に、前記一対のレールから離れて配置されて、前記つまみ部と前記一対のレールのそれぞれとの間に一対の開放端停止受け溝を区画しており、前記つまみ部は、長孔と、前記ベースパネル部材および前記長孔の前方で前記つまみ部に接続された従動突起とを有しており、前記つまみ部は、上方向に向かって、弛緩通常位置および上側偏移位置、ならびに、前記弛緩通常位置と前記上側偏移位置との間で、移動可能であり、かつ、下方向に向かって、前記弛緩通常位置および前記上側偏移位置の反対側の下側偏移位置、ならびに、前記弛緩通常位置と前記下側偏移位置との間で、移動可能であり、前記つまみ部は、前記弛緩通常位置へと弾性的に付勢されているコネクタ位置保証装置とを備え、
前記コネクタ位置保証装置の前記一対のレールは、それぞれ、摺動して受けられてぴったりとはまるように、前記第2コネクタハウジングの前記レール受け溝に対して位置合わせされており、前記コネクタ位置保証装置は、前記挿入方向に向かって第1の挿入力で、前記第2コネクタ内腔に挿入されており、前記第1の挿入力は、前記つまみ部が、前記第2コネクタ上方突出係止突起を越えて摺動して、前記第2コネクタ上方突出係止突起と摺動接触し前記第2コネクタ上方突出係止突起を摺動して越えながら、前記弛緩通常位置から上側偏移位置へと移動し、次に、前記つまみ部の前側端の前記第2コネクタ上方突出係止突起との摺動接触が解除されたときに、前記つまみ部が前記上側偏移位置から前記弛緩通常位置へと移動するのに十分な力とされており、前記従動突起は前記クロスバー係止要素と対向し、前記長孔は、当該長孔の前側端部において、前記第2コネクタ上方突出係止突起を受けて、前記コネクタ位置保証装置の一部を前記第2コネクタ内腔の中で取り付け前状態にし、
その後、前記コネクタ位置保証装置が取り付け前状態にある前記第2コネクタハウジングは、前記第1コネクタ内腔に受けられることにより、前記挿入方向に向かって、前記第1コネクタ内腔に挿入され、その際、前記クロスバー係止要素と摺動接触している前記第1コネクタ係止突起は、前記クロスバー係止要素を押し下げて、前記第2コネクタラッチアセンブリを前記通常弛緩状態から前記下側偏移状態へと移動させ、前記第1コネクタ係止突起の前記クロスバー係止要素との摺動接触が解除され、前記従動突起と摺動接触している前記第1コネクタ係止突起が、前記従動突起を押し下げて、前記つまみ部を前記弛緩通常位置から前記下側偏移位置へと動かして、前記少なくとも1つの停止要素と摺動接触している前記つまみ部の前記前側部分が、前記少なくとも1つの停止要素の下側へ摺動し、摺動接触している前記従動突起が、前記第1コネクタ係止突起および前記クロスバー係止要素の下へ摺動し、前記つまみ部が、前記クロスバー係止要素との摺動接触が解除されたあとに、前記通常弛緩位置に戻って、前記少なくとも1つの停止要素が、前記一対の開放端停止受け溝の一方に配置されて、前記コネクタ位置保証装置が最終係止状態とされたときに、前記第2コネクタラッチアセンブリは、前記通常弛緩状態に戻る、コネクタアセンブリ。
【請求項１１】
前記少なくとも1つの停止要素は、一対の停止要素を含み、前記一対の停止要素は、それぞれ、一対のジョイストに接続されており、前記一対の停止要素は、それぞれ、前記一対のジョイストから、前記第2コネクタ内腔の中心に向かって延びている、請求項10に記載のコネクタアセンブリ。
【請求項１２】
前記つまみ部は一対の傾斜部を有しており、各傾斜部は、前記つまみ部の外部側縁に配置され、前記つまみ固定端に対して上方に、前記つまみ自由端に向かって傾斜しており、前記一対の傾斜部は、それぞれ、ほぼ対向するようにして、前記一対の停止要素と、少なくとも隣接または当接するように配置されており、前記一対の停止要素は、前記コネクタ位置保証装置が前記最終係止状態にあるときに、それぞれ、前記開放端停止受け溝に配置される、請求項11に記載のコネクタアセンブリ。
【請求項１３】
前記ラッチアセンブリは、アンカーパネル部および一対のブロック要素を含み、前記アンカーパネル部は、前記ベースパネル部材と前記つまみ部との間で、前記ベースパネル部材および前記つまみ部に接続されており、前記つまみ部は、つまみ固定端と、対向するつまみ自由端とを有しており、前記つまみ部は、前記つまみ固定端で、前記アンカーパネル部と接続されており、前記一対のブロック要素は、前記つまみ部の前記つまみ自由端で、一体的に接続されており、前記一対のブロック要素は、それぞれ、前記従動突起の両側で、互いに横方向に離れて配置され、前記つまみ自由端の前方に突出しており、前記一対のブロック要素は、前記コネクタ位置保証装置が前記取り付け前状態にあるときに、それぞれ、ほぼ対向するようにして、前記一対の停止要素と、少なくとも隣接または当接するように配置されている、請求項10に記載のコネクタアセンブリ。
【手続補正２】
【補正対象書類名】明細書
【補正対象項目名】０００７
【補正方法】変更
【補正の内容】
【０００７】
本発明の実施形態の1つは、ベースパネル部材とラッチアセンブリとを有するコネクタ位置保証装置である。ラッチアセンブリは、ベースパネル部材に接続されて、ベースパネル部材からほぼ垂直に延びている。ラッチアセンブリは、つまみ部と、互いに離れて配置され、互いに平行に延びる一対のレールとを有している。つまみ部は、一対のレールの間に、一対のレールから離れて配置されて、つまみ部と一対のレールのそれぞれとの間に一対の開放端停止受け溝を区画している。
【手続補正３】
【補正対象書類名】明細書
【補正対象項目名】０００８
【補正方法】変更
【補正の内容】
【０００８】
本発明の別の実施形態は、第1コネクタハウジング、第2コネクタハウジングおよびコネクタ位置保証装置を含むコネクタアセンブリである。第1コネクタハウジングは、第1コネクタ開放端、第1コネクタ内腔、および、第1コネクタ上壁から第1コネクタ内腔へと延びる第1コネクタ係止突起を有している。第2コネクタハウジングは、第1コネクタ開放端を通って第1コネクタ内腔に受けられる寸法とされている。第2コネクタハウジングは、第2コネクタ開放端と、第2コネクタ内腔と、クロスバー係止要素およびクロスバー係止要素により一部を区画された第2コネクタラッチ孔を有する第2コネクタラッチアセンブリと、第2コネクタラッチアセンブリに対向する第2コネクタ底壁と、一対の対向する第2コネクタ側壁と、第2コネクタラッチアセンブリと第2コネクタ底壁との間に配置された少なくとも1つの停止要素と、第2コネクタ底壁から上方に突出する第2コネクタ上方突出係止突起とを有する。第2コネクタハウジングは、第2コネクタ内腔の中に配置されているジョイスト構造部を含む。ジョイスト構造部は、互いに離れた一対のジョイストを有し、挿入方向に向かって延びている。一対のジョイストは、それぞれ、第2コネクタ側壁それぞれおよび第2コネクタ底壁から離れて配置されて、互いの間にレール受け溝を形成している。第2コネクタラッチアセンブリは、通常弛緩状態へ弾性的に付勢されながら、通常弛緩状態および下側偏移状態、ならびに、通常弛緩状態と下側偏移状態との間で移動できるようにされている。
【手続補正４】
【補正対象書類名】明細書
【補正対象項目名】０００９
【補正方法】変更
【補正の内容】
【０００９】
コネクタ位置保証装置は、第2コネクタ内腔に受けられるような寸法とされている。コネクタ位置保証装置は、ベースパネル部材と、ベースパネル部材に接続され、ベースパネル部材からほぼ垂直に延びるラッチアセンブリとを有している。ラッチアセンブリは、前側部分を備えるつまみ(tongue)部と、互いに離れて配置され、互いに平行に延びている一対のレールとを有している。つまみ部は、この時点で離れて配置されている一対のレールの間に位置決めされて、つまみ部と一対のレールそれぞれとの間で、一対の開放端停止受け溝を区画している。つまみ部には、長孔と、ベースパネル部材および長孔の前方でつまみ部に接続されている従属突起とが形成されている。つまみ部は、上方向に向かって、弛緩通常位置および上側偏移位置、ならびに、弛緩通常位置と上側偏移位置との間で、移動可能であり、下方向に向かって、弛緩通常位置および下側偏移位置、ならびに、弛緩通常位置と下側偏移位置との間で、移動可能であり、下側偏移位置は、つまみ部が弛緩通常位置へと弾性的に付勢されている状態で、上側偏移位置の反対側とされている。
【手続補正５】
【補正対象書類名】明細書
【補正対象項目名】００１１
【補正方法】変更
【補正の内容】
【００１１】
次に、取り付け前状態のコネクタ位置保証装置を有する第2コネクタハウジングが、第1コネクタ内腔に受けられることにより、第1コネクタ内腔へ挿入方向に挿入される。このとき、クロスバー係止要素と摺動接触している第1コネクタ係止突起が、クロスバー係止要素を押し下げて、第2コネクタラッチアセンブリを弛緩通常位置から下側偏移位置へと移動し、第2コネクタラッチアセンブリは、第1コネクタ係止突起のクロスバー係止要素との接触が解除されたときに、弛緩通常位置に戻り、従動突起と摺動接触している第1コネクタ係止突起が、従動突起を押し下げて、つまみ部を弛緩通常位置から下側偏移位置へと移動して、それにより、少なくとも1つの停止要素と摺動接触しているつまみ部の前側部分が、少なくとも1つの停止要素の下方へ摺動し、摺動接触している従動突起が、第1コネクタ係止突起およびクロスバー係止要素の下方へ摺動し、つまみ部は、クロスバー係止要素との摺動接触が解除されたあとに、少なくとも1つの停止要素が、開放端停止受け溝の一方の中に配置されて、コネクタ位置保証装置を最終係止状態とするように、弛緩通常位置に戻る。
【手続補正６】
【補正対象書類名】明細書
【補正対象項目名】００１５
【補正方法】変更
【補正の内容】
【００１５】
本発明のコネクタ位置保証装置10は、本発明のコネクタアセンブリ110の構成要素として使用される。以下に詳細に説明するコネクタアセンブリ110は、コネクタ位置保証装置10、第1コネクタハウジング12および第2コネクタハウジング14を含んでいる。
図5〜図8を参照して、コネクタ位置保証装置10は、ベースパネル部材16およびラッチアセンブリ18を含んでいる。ラッチアセンブリ18は、ベースパネル部材16に接続されており、ベースパネル部材16からほぼ垂直に延びている。また、ラッチアセンブリ18は、つまみ(tongue)部20と、一対のレール22aおよび22bとを有している。一対のレール22aおよび22bは、互いに離れて配置されており、互いに平行に延びている。つまみ部20は、一対のレール22aおよび22bの間に、一対のレール22aおよび22bから離れて配置されており、図5および図6に最もよく示されているように、つまみ部20と一対のレール22aおよび22b のそれぞれとの間に位置する一対の開放端停止受け溝24aおよび24bを区画している。
【手続補正７】
【補正対象書類名】明細書
【補正対象項目名】００１７
【補正方法】変更
【補正の内容】
【００１７】
さらに、ラッチアセンブリ18は、図5〜図8に示すように、つまみ部20に接続されてつまみ部20のつまみ自由端20bに隣接する従動突起28を含んでいる。従動突起28は、つまみ部20から上方向に向かって突出している。また、限定するものではないが、従動突起28は、図6および図7に最もよく示されているように、一対のレール22aおよび22bの間の中央に位置している。図5および図6において、つまみ部20は、一対のつまみ部脚20cを有しており、一対のつまみ部脚20cの間には、つまみ部20を貫通する長孔30が設けられている。長孔30は、つまみ部20の中央に配置されて、つまみ固定端20aから従動突起28に向かって延びている。
【手続補正８】
【補正対象書類名】明細書
【補正対象項目名】００２３
【補正方法】変更
【補正の内容】
【００２３】
上述した本発明のコネクタアセンブリ110の別の実施形態を、全体として、図1〜図4および図11〜図15Bで紹介している。コネクタアセンブリ110は、第1コネクタハウジング12、第2コネクタハウジング14およびコネクタ位置保証装置10を含んでいる。第1コネクタハウジング12は、図1に最もよく示されているように、第1コネクタ開放端36および第1コネクタ内腔38、ならびに、図14ａ、図15、図16および図17ａに示すように、第1コネクタ係止突起40を有している。第1コネクタ係止突起40は、第1コネクタ上壁42から第1コネクタ内腔38へと延びている（図1）。
【手続補正９】
【補正対象書類名】明細書
【補正対象項目名】００２４
【補正方法】変更
【補正の内容】
【００２４】
図1〜図4ならびに図14ａ、図15、図16および図17ａを参照して、第2コネクタハウジング14は、第1コネクタ開放端36を通って、第1コネクタ内腔38に受けられる寸法とされている。第2コネクタハウジング14は、第2コネクタ開放端44と、第2コネクタ内腔46と、クロスバー係止要素58およびクロスバー係止要素58により一部を区画された第2コネクタラッチ孔60を有する第2コネクタラッチアセンブリ48と、第2コネクタラッチアセンブリ48に対向する第2コネクタ底壁50と、一対の対向する第2コネクタ側壁52と、第2コネクタラッチアセンブリ48と第2コネクタ底壁50との間に配置された一対の停止要素54と、第2コネクタ底壁50から上方に突出する第2コネクタ上方突出係止突起56とを有している。図1に最もよく示されているように、第2コネクタハウジング14は、第2コネクタ内腔46の中に配置されているジョイスト（小梁）構造部62を含んでいる。ジョイスト構造部62は、互いに離れた一対のジョイスト64aおよび64bを有しており、挿入方向Xに向かって延びている。一対のジョイスト64aおよび64bは、それぞれ、各第2コネクタ側壁52および第2コネクタ底壁50から離れて配置されており、互いの間にレール受け溝66を形成している。
【手続補正１０】
【補正対象書類名】明細書
【補正対象項目名】００２８
【補正方法】変更
【補正の内容】
【００２８】
その後、コネクタ位置保証装置10が取り付け前状態にある第2コネクタハウジング14が、第1コネクタ内腔38に受けられることにより、挿入方向Xに向かって第2の挿入力Fsで、図2および図3に、ならびに図14ａから図17ｂに連続して示すように、第1コネクタ内腔38に挿入される。その際、クロスバー係止要素58と摺動接触している第1コネクタ係止突起40が、クロスバー係止要素58（図15参照）を押し下げて、第2コネクタラッチアセンブリ48を（例えば図14ａの）通常弛緩位置から図15に示す下側偏移位置へと移動させる。第1コネクタ係止突起40のクロスバー係止要素58（図16）との摺動接触が解除され、従動突起28と摺動接触している第1コネクタ係止突起40が、従動突起（図16）を押し下げて、つまみ部20を（例えば図15の）弛緩通常位置から下側偏移位置（図16）へと動かして、一対の停止要素54と摺動接触しているつまみ部20の前側部分20eが、一対の停止要素54の下側へ摺動し、摺動接触している従動突起28が、第1コネクタ係止突起40およびクロスバー係止要素58（図16）の下へ摺動し、つまみ部20が、クロスバー係止要素58との摺動接触が解除されたあとに、通常弛緩位置に戻って、一対の停止要素54が、一対の開放端停止受け溝24aおよび24bのそれぞれに配置されて、コネクタ位置保証装置10が最終係止状態とされたときに、第2コネクタラッチアセンブリ48は、図17ａおよび図17ｂに示すように、通常弛緩位置に戻る。
【手続補正１１】
【補正対象書類名】明細書
【補正対象項目名】００３０
【補正方法】変更
【補正の内容】
【００３０】
図17ｂに最もよく示されているように、一対の停止要素54は、それぞれ、一対のジョイスト64aおよび64bに接続されている。一対の停止要素64は、それぞれ、一対のジョイスト64aおよび64bから、第2コネクタ内腔46の中心に向かって延びている。
さらに、図17ｂに示すように、つまみ部20は一対の傾斜部20fを有している。各傾斜部20fは、つまみ部20の外部側縁20gに配置され、つまみ固定端20aに対して上方に、つまみ自由端20bに向かって傾斜している。一対の傾斜部20fは、それぞれ、ほぼ対向するようにして、一対の停止要素54と、少なくとも隣接または当接するように配置されている。一対の停止要素54は、コネクタ位置保証装置10が最終係止状態にあるときに、それぞれ、一対の開放端停止受け溝24aおよび24bに配置される。